(57)【要約】【課題】  治療室の出入口に開閉時間の短縮化が可能であり、迷路部を設けなくても、放射線の漏洩を防止することができる、分割型放射線遮蔽扉を用いた放射線使用室を提供する。【解決手段】  放射線を遮蔽可能な厚さＤのコンクリート製の遮蔽壁４で全体断面略方形状に構成する。  出入口２は、前記分割遮蔽扉３によって完全に遮蔽されるように、隅側の出入口２における遮蔽壁４を前記分割遮蔽扉３の扉当て部５として、分割遮蔽扉３の厚さ分、突出させると共に、段差形成する。  一方、隅側の出入口２における遮蔽壁４と対向する出入口２の遮蔽壁４には、後述する分割遮蔽扉３のうちの室内寄りの遮蔽扉と隙間なく係合するための係合突部６を形成する。  前記分割遮蔽扉３は、第１分割遮蔽扉３ａ、第２分割遮蔽扉３ｂが互いに重ね合った状態で前記放射線治療室１における出入口２を遮蔽する際に、全体厚さが、前記遮蔽壁４の厚さＤと略同一となる設定とする。【選択図】              図２
2007085875.tif 000002
【特許請求の範囲】
【請求項１】
室内を放射線遮蔽壁で構成し、その室内の出入口において、出入口周囲の対向する遮蔽壁のうち、何れかの遮蔽壁に、複数の分割遮蔽扉を重ねた状態で当接する扉当て部を段差形成し、対向する他の遮蔽壁に前記分割遮蔽扉のうちの最も出入口寄りの分割遮蔽扉と係合する係合突部を設ける構成としたことを特徴とする分割型放射線遮蔽扉を用いた放射線使用室。
【請求項２】
前記複数の分割遮蔽扉は、それぞれ動力源と駆動装置とを搭載し、前記出入口直前に設けた軌道部上において、個々に駆動装置により移動可能に構成したことを特徴とする請求項１記載の分割型放射線遮蔽扉を用いた放射線使用室。
【請求項３】
前記分割遮蔽扉は、前記出入口遮蔽壁の係合突部と係合して前記出入口を遮蔽する断面Ｌ字型の第１の分割遮蔽扉と、この第１分割遮蔽扉に順次隣接させて重ね合わせる複数の第２の分割遮蔽扉とで構成し、これら第１、第２分割遮蔽扉を、互いに重ね合わせた全体の厚さを、放射線使用室を仕切る遮蔽壁の厚さと同等としたことを特徴とする請求項１または２記載の分割型放射線遮蔽扉を用いた放射線使用室。
【発明の詳細な説明】
【技術分野】
【０００１】
本発明は、放射線を遮蔽することができる、分割型放射線遮蔽扉を用いた放射線使用室に関するものである。
【背景技術】
【０００２】
従来、例えば患部に放射線を照射して治療を行う放射線治療装置を収容する放射線治療室は、放射線を遮蔽するために、コンクリート等の遮蔽壁で構築されているが、出入口からの放射線の漏洩を防止するため、放射線遮蔽扉が設置されている。この放射線遮蔽扉は、通常、相当の厚さのコンクリート製の素材を用いており、重量は過大なものとなるので、その開閉動作のために大きな動力が必要であり、開閉時間もかかりすぎるといった問題があった。
【０００３】
そこで、そのような過大な重量の遮蔽扉を用いることなく、放射線の漏洩を防止するために、例えば
【特許文献１】特開平８−１０３５０７号公報では、図４に示すように、放射線治療装置が設置されている照射室ａ、散乱したＸ線が入口扉ｂに直接到達するのを防ぐための迷路部ｃを設けるようにしている。
【発明の開示】
【発明が解決しようとする課題】
【０００４】
しかしながら、上述の照射室１では、
（１）  迷路部ｃを設けたことにより動線が複雑となり、照射室ａ内への出入りが円滑にはいかない。
（２）  照射室ａの床面積のみでなく、迷路部ｃの床面積が必要となる。
（３）  迷路部ｃを設けたとしても、迷路部ｃの長さが放射線の減衰に充分でない場合、出入口には遮蔽能力を有する入口扉ｂを設置する必要がある。
本発明は、以上のような課題を改善するために提案されたものであって、治療室の出入口に開閉時間の短縮化が可能であり、迷路部を設けなくても、放射線の漏洩を防止することができる、分割型放射線遮蔽扉を用いた放射線使用室を提供することを目的とする。
【課題を解決するための手段】
【０００５】
前記した課題を解決するために、本発明では、請求項１において、室内を放射線遮蔽壁で構成し、その室内の出入口において、出入口周囲の対向する遮蔽壁のうち、何れかの遮蔽壁に、複数の分割遮蔽扉を重ねた状態で当接する扉当て部を段差形成し、対向する他の遮蔽壁に前記分割遮蔽扉のうちの最も出入口寄りの分割遮蔽扉と係合する係合突部を設ける構成とした分割型放射線遮蔽扉を用いた放射線使用室を提案する。
また本発明では、請求項２において、前記複数の分割遮蔽扉は、それぞれ動力源と駆動装置とを搭載し、前記出入口直前に設けた軌道部上において、個々に駆動装置により移動可能に構成した分割型放射線遮蔽扉を用いた放射線使用室を提案する。
さらに本発明では、請求項３において、前記分割遮蔽扉は、前記出入口遮蔽壁の係合突部と係合して前記出入口を遮蔽する断面Ｌ字型の第１の分割遮蔽扉と、この第１分割遮蔽扉に順次隣接させて重ね合わせる複数の第２の分割遮蔽扉とで構成し、これら第１、第２分割遮蔽扉を、互いに重ね合わせた全体の厚さを、放射線使用室を仕切る遮蔽壁の厚さと同等とした分割型放射線遮蔽扉を用いた放射線使用室を提案する。
【発明の効果】
【０００６】
（１）分割遮蔽扉が重ね合わせた状態で、放射線遮蔽に必要な厚さを確保することができ、放射線使用室の出入口からの放射線漏洩を防止することができる。
（２）分割遮蔽扉としたことで、重量が分割され、それぞれに搭載される動力源と駆動装置により、無理なく個々に速やかな開閉動作を行わせることができ、使用頻度の高い出入口に適応したものとなる。
（３）高性能の動力源や駆動装置は不要となる。
（４）迷路を必要としないため、建築計画が簡素化され、有利となる。
（５）動線として単純化され、円滑な入退室が可能となる。
【０００７】
請求項１によれば、放射線遮蔽壁で構成した室内の出入口において、先ず、複数の分割遮蔽扉のうち、最も出入口寄りの分割遮蔽扉を、出入口遮蔽壁における扉当て部に当てると共に、対向する他の遮蔽壁における係合突部と係合させた状態で前記出入口を直接遮蔽し、順次残りの分割遮蔽扉を扉当て部に当接させて重ねた状態とすることで、前記出入口の遮蔽を完了する。
【０００８】
請求項２によれば、複数の分割遮蔽扉を、出入口直前に設けた軌道部上において、それぞれ動力源と駆動装置とにより個々に移動させて、互いに重ねた状態で出入口を遮蔽したり、開放したりすることができる。
【０００９】
請求項３によれば、断面Ｌ字型の第１分割遮蔽扉を、出入口遮蔽壁の係合突部と係合させて前記出入口を遮蔽するので、放射線ストリーミングを効果的に防止することができる。この第１分割遮蔽扉に順次複数の第２分割遮蔽扉を重ね合わせて、出入口の遮蔽を完了した際、第１、第２分割遮蔽扉を、互いに重ね合わせた全体の厚さを、放射線使用室を仕切る遮蔽壁の厚さと同等としたので、放射線が出入口から漏洩するのを防止することができる。
【発明を実施するための最良の形態】
【００１０】
以下、本発明にかかる分割型放射線遮蔽扉を用いた放射線使用室について、一つの実施の形態を挙げ、添付の図面に基づいて説明する。
【実施例】
【００１１】
図１に、放射線使用室の一例として放射線治療室１を示し、その出入口２には、互いに重ね合わせて出入口２を遮蔽すると共に移動開放可能に構成した、分割遮蔽扉３を設けている。
すなわち前記放射線治療室１は、放射線治療装置（図示省略）を収容して、放射線治療装置から出射される放射線を遮蔽可能な厚さＤのコンクリート製の遮蔽壁４で全体断面略方形状に構成している。
【００１２】
前記出入口２は、前記分割遮蔽扉３によって完全に遮蔽されるように、隅側の出入口２における遮蔽壁４を前記分割遮蔽扉３の扉当て部５として、分割遮蔽扉３の厚さ分、突出させると共に、段差形成している（図２参照）。
一方、隅側の出入口２における遮蔽壁４と対向する出入口２の遮蔽壁４には、後述する分割遮蔽扉３のうちの室内寄りの遮蔽扉と係合するための係合突部６を形成している。
【００１３】
前記分割遮蔽扉３は、厚さがｄ１の第１分割遮蔽扉３ａと、厚さがｄ２の複数の平板状の第２分割遮蔽扉３ｂとで構成している。
これら第１分割遮蔽扉３ａ、第２分割遮蔽扉３ｂにおいて、ｄ１＞ｄ２であり、前記第１分割遮蔽扉３ａは、横断面Ｌ字型の扉であり、最も内側、すなわち放射線治療室１の出入口２寄りに配置して、隅側の出入口２における遮蔽壁４と対向する出入口２の遮蔽壁４に設けた係合突部６と係合する構成としている。
そして前記第１分割遮蔽扉３ａ、第２分割遮蔽扉３ｂが互いに重ね合った状態で前記放射線治療室１における出入口２を遮蔽する際に、全体厚さが、前記遮蔽壁４の厚さＤと略同一となる設定である。この場合、
遮蔽必要厚さＤ＝第１分割遮蔽扉３ａの厚さｄ１＋第２分割遮蔽扉３ｂの厚さｄ２×第２分割遮蔽扉３ｂの数としている。
【００１４】
また前記分割遮蔽扉３を構成する第１分割遮蔽扉３ａ、第２分割遮蔽扉３ｂは、後述するが、出入口２における遮蔽壁４床面に適宜な強度の大きい軌道部７を敷設して、個々に軌道部７上に移動可能に載置され、それぞれ設けた動力源８によって駆動する駆動装置９により、軌道部７上を移動可能に構成している（図３参照）。
【００１５】
そして前記動力源８および駆動装置９は、一例として例えば図４に示す構成とすることができる。勿論、前記動力源８および駆動装置９は、これに限らず、他の周知の機構で構成することもできる。
なお、図４では、第１分割遮蔽扉３ａ、第２分割遮蔽扉３ｂのうちのいずれかの遮蔽扉のみを示している。
この場合、第１、第２分割遮蔽扉３ａ，３ｂは、出入口２における遮蔽壁４床面に敷設した軌道部７上を、第１、第２分割遮蔽扉３ａ，３ｂにおける下部側のフレーム１０に装着した車輪１１によって個々に移動可能としている。
前記動力源８は、前記第１、第２分割遮蔽扉３ａ，３ｂの端部側に設けたカバー１２内に収容した駆動用モータ８ａと減速ギヤ機構８ｂとを備え、駆動装置９は、車輪１１の回転軸に同軸的に設けたスプロケット９ａを備え、前記駆動用モータ８ａからの動力を、前記減速ギヤ機構８ｂ、チェーン１３を介し、スプロケット９ａに伝達し、車輪１１を回転駆動する構成である。
なお、第１、第２分割遮蔽扉３ａ，３ｂは、全ての第１、第２分割遮蔽扉３ａ，３ｂの動力源８に、同時に電力を供給して、第１、第２分割遮蔽扉３ａ，３ｂを同時に移動させるようにしてもよいが、大電力を必要とするため、各遮蔽扉毎、順次、動力源８に電力を供給して、一枚一枚移動させるようにしている。
【００１６】
さらに前記第１分割遮蔽扉３ａ、第２分割遮蔽扉３ｂが互いに重ね合った状態で前記放射線治療室１における出入口２を遮蔽する際、最も室内寄りの第１分割遮蔽扉３ａと、隣接する前記第２分割遮蔽扉３ｂとの間、さらにそれぞれの第２分割遮蔽扉３ｂ間には、扉開閉動作のために、クリアランスを５〜１０ｍｍ程度、設けている。
なお、これらクリアランスは、開閉動作時に必要ではあるが、扉停止時、出入口２の遮蔽時には、詳細な説明は省略するが、周知の機械的、あるいは電気的な動作機構によって、互いに密接状態とさせることも可能である。
【００１７】
以上のように、分割遮蔽扉３の全体厚さを遮蔽必要厚さＤとしたことから、出入口２において、隅側の出入口２の遮蔽壁４に設けた扉当て部５と、対向する出入口２の遮蔽壁４に設けた係合突部６との関係から、例えば
遮蔽厚さＤの透過率＝（Ｌ１＋Ｌ２＋Ｌ３）経路の透過率
＝（Ｌ４＋ｄ１＋ｄ２ｘ４）経路の透過率
となる設定である。
ここで、Ｌ１：出入口２内壁から出入口２の遮蔽壁４における係合突部６の第１分割遮蔽扉３ａとの当接面，Ｌ２：係合突部６の第１分割遮蔽扉３ａとの当接面から第１分割遮蔽扉３ａおよび第２分割遮蔽扉３ｂの幅方向端部，Ｌ３：第１分割遮蔽扉３ａと係合する係合突部６の突出寸法，Ｌ４：扉当て部５の段差寸法
【００１８】
本発明にかかる分割型放射線遮蔽扉を用いた放射線使用室は、以上のように構成されるので、放射線治療室１の出入口２を、分割遮蔽扉３によって遮蔽する際、分割遮蔽扉３を構成する第１分割遮蔽扉３ａ、第２分割遮蔽扉３ｂを、それぞれ搭載する動力源８である駆動用モータ８ａに、順次、個々に電力を供給して、駆動用モータ８ａからの動力を、減速ギヤ機構８ｂ、チェーン１３を介し、駆動装置９を構成するスプロケット９ａに伝達し、車輪１１を回転駆動することで、軌道部７上を移動させて互いに重ね合った状態で前記出入口２を遮蔽することができる。
【００１９】
前記出入口２において、先ず、最も室内寄りの第１分割遮蔽扉３ａを、駆動用モータ８ａによってスプロケット９ａを介して車輪１１を駆動させて、軌道部７上を移動させていくと、前記第１分割遮蔽扉３ａは出入口２を横切り、第１分割遮蔽扉３ａの移動方向前方側端部が、隅側の出入口２の遮蔽壁４の段差形成した扉当て部５に突き当たり、停止させる。このとき、前記第１分割遮蔽扉３ａの移動方向後方側のＬ字箇所が、内側の出入口２の遮蔽壁４における係合突部６に係合し、前記出入口２が前記第１分割遮蔽扉３ａによって遮蔽される。そうすると、前記第１分割遮蔽扉３ａの移動方向前方側端部が、隅側の出入口２の遮蔽壁４の扉当て部５に突き当たったことと、第１分割遮蔽扉３ａの移動方向後方側のＬ字箇所と、内側の出入口２の遮蔽壁４における係合突部６とが係合したことで、出入口２からの放射線ストリーミングの発生を効果的に阻止することができる。
そして、順次、第２分割遮蔽扉３ｂを駆動用モータ８ａによってスプロケット９ａを介して車輪１１を駆動させて、軌道部７上を移動させていけば、前記第１分割遮蔽扉３ａ、第２分割遮蔽扉３ｂと、互いに重ね合った状態で前記出入口２を遮蔽することができる。
なお、第１分割遮蔽扉３ａと、隣接する前記第２分割遮蔽扉３ｂとの間、さらにそれぞれの第２分割遮蔽扉３ｂ間には、扉開閉動作のために、クリアランスを５〜１０ｍｍ程度、設けているので、動作の妨げとはならず、全ての扉の遮蔽が終了したとき、前記クリアランスがあっても、各クリアランスからの放射線の漏洩を減衰させることができる。
【００２０】
全ての第１分割遮蔽扉３ａ、第２分割遮蔽扉３ｂの移動が終了すると、分割遮蔽扉３全体としての厚さが、放射線治療室１を構成する遮蔽壁４と同等の遮蔽必要厚さＤとなるから、放射線の漏洩を防止することができ、安全に放射線治療を行うことができる。
【００２１】
このように、遮蔽に必要な厚さを有する一枚の遮蔽扉では、重量が過大であることから、頻繁に開閉動作がなされる出入口２の遮蔽には不向きであったところを、複数の扉に分割したことで、重量が分割され、これまでのような規模の大きい動力装置は不要であり、それぞれの扉に搭載した動力源８および駆動装置９によって、無理なく個々に速やかな開閉動作を行わせることができ、しかも、遮蔽に必要な厚さは、複数の扉のトータルの厚さで確保されるので、放射線遮蔽についても問題はない。
【００２２】
以上のように、上述の放射線治療室１は分割遮蔽扉３によって、効果的に放射線の遮蔽が達成されたので、これまでのように治療室の出入口に迷路を設ける必要はなく、建築計画が簡素化され、有利となる。また、治療を受ける患者にとっても、動線として単純化され、円滑な入退室が可能となる。
【図面の簡単な説明】
【００２３】
【図１】本発明にかかる遮蔽扉を用いた放射線使用室の一例を示す、模式的な横断面図である。
【図２】図１に示す遮蔽扉の拡大して示す横断面図である。
【図３】図２に示す、Ａ−Ａ線に沿って切断して見た切断矢視図である。
【図４】遮蔽扉の駆動源、駆動装置の一例を示した、構成説明図である。
【図５】従来の放射線使用室の一例を示す、模式的な横断面図である。
【符号の説明】
【００２４】
１                    放射線治療室
２                    出入口
３                    分割遮蔽扉
３ａ                  第１分割遮蔽扉
３ｂ                  第２分割遮蔽扉
４                    遮蔽壁
５                    扉当て部
６                    係合突部
７                    軌道部
８                    動力源
８ａ                  駆動用モータ
８ｂ                  減速ギヤ機構
９                    駆動装置
９ａ                  スプロケット
１０                  フレーム
１１                  車輪
１２                  カバー
１３                  チェーン
【図１】
2007085875.tif 000003
【図２】
2007085875.tif 000004
【図３】
2007085875.tif 000005
【図４】
2007085875.tif 000006
【図５】
2007085875.tif 000007